(57)【要約】【課題】帯電部材に付着した付着物を容易に除去することができる帯電装置を提供する。【解決手段】像保持体の表面を帯電させるための、導電性芯材と導電性芯材の外周に形成された帯電層とを有する円筒状の帯電部材と、帯電部材に接触し従動して回転しながら帯電部材の表面を清掃するための、芯材と芯材の外周に形成された弾性層とを有する円筒状の帯電部材清掃部材と、帯電部材及び帯電部材清掃部材のうち少なくとも１つをその軸方向に所定の幅で移動させる移動手段と、を有する帯電装置である。【選択図】図１
2009145487.tif 000002
【特許請求の範囲】
【請求項１】
像保持体の表面を帯電させるための、導電性芯材と前記導電性芯材の外周に形成された帯電層とを有する円筒状の帯電部材と、
前記帯電部材に接触し従動して回転しながら前記帯電部材の表面を清掃するための、芯材と前記芯材の外周に形成された弾性層とを有する円筒状の帯電部材清掃部材と、
前記帯電部材及び前記帯電部材清掃部材のうち少なくとも１つをその軸方向に所定の幅で移動させる移動手段と、
を有することを特徴とする帯電装置。
【請求項２】
請求項１に記載の帯電装置であって、
前記移動手段は前記帯電部材清掃部材をその軸方向に所定の幅で移動させることを特徴とする帯電装置。
【請求項３】
請求項１または２に記載の帯電装置であって、
前記移動手段は、前記導電性芯材及び前記芯材に形成された凸部と凹部との嵌合によって前記帯電部材及び前記帯電部材清掃部材のうち少なくとも１つを移動させることを特徴とする帯電装置。
【請求項４】
請求項１〜３のいずれか１項に記載の帯電装置であって、
前記弾性層が、ポリウレタン、ニトリルゴム、エチレン−プロピレン−ジエン３元共重合ゴム、スチレン−ブタジエンゴム及びシリコーンゴムのうち少なくとも１つの発泡体を含んで構成されていることを特徴とする帯電装置。
【請求項５】
像保持体と、請求項１〜４のいずれか１項に記載の帯電装置とを備えることを特徴とするプロセスカートリッジ。
【請求項６】
像保持体と、請求項１〜４のいずれか１項に記載の帯電装置と、前記像保持体の表面に潜像を形成する潜像形成手段と、前記像保持体の表面に形成された潜像をトナーにより現像してトナー像を形成する現像手段と、前記像保持体の表面に形成されたトナー像を被転写体に転写する転写手段と、を備えることを特徴とする画像形成装置。
【発明の詳細な説明】
【技術分野】
【０００１】
本発明は、帯電装置、プロセスカートリッジ及び画像形成装置に関する。
【背景技術】
【０００２】
従来、電子写真方式を採用した複写機やプリンタ等の画像形成装置の帯電装置として、スコロトロン帯電器のようなコロナ放電現象を利用したものが多用されてきたが、コロナ放電現象を利用した帯電装置の場合には、オゾンや窒素酸化物等が発生することがある。これに対して、導電性の帯電ロールを像保持体に直接接触させて像保持体の帯電を行う接触帯電方式はオゾンや窒素酸化物等の発生が大幅に少なく、電源効率も良いことから、最近では主流となっている。
【０００３】
このような接触帯電方式の帯電装置では、帯電ロールが像保持体に接触しているため、帯電ロールの表面にトナー成分や紙粉等の付着による汚れが発生しやすいという問題がある。画像形成動作を繰り返し行う像保持体の表面は、転写工程の下流側において、転写後の残留トナー等の異物除去を行うクリーニング工程を経た後、帯電工程のエリアへと進入してくるが、クリーニング工程を経てもトナーの一部やトナーの外添剤など、トナーよりも小さい粒子がクリーニングされずに像保持体上に残留し、帯電ロールの表面へと付着してしまう。帯電ロールの表面に付着した異物は帯電ロールの表面抵抗値にムラを生じさせ、異常放電や不安定な放電となり帯電均一性を悪化させてしまうことがある。
【０００４】
このような問題を改善するための技術として、帯電ロールの表面に板状のブラシやスポンジを当接させ、帯電ロールの表面汚れを掻き落とすようなクリーニング方式が提案されている。またロール状のクリーニング部材を帯電ロール表面に当接させるクリーニング方式も提案されている。例えば、特許文献１，２では、帯電ロールの表面粗さをトナー径に比して小さくすることが示されており、特許文献３には、帯電ロールの表面の十点平均粗さを３μｍ以上４０μｍ以下にすることが示されており、特許文献４には、帯電ロールの表面の十点平均粗さを３０μｍ以下にすることが示されている。
【０００５】
さらに、発泡体樹脂もしくは発泡体ゴムを用いたロールタイプの帯電ロールクリーナが提案されている。この技術では、帯電ロールに付着した外添剤やトナーなどがクリーニング部材で除去される際にまず、発泡体で構成されるクリーニング部材のセル内に外添剤などの異物が取り込まれる。セル内に取り込まれた異物は、凝集して適度な大きさの凝集体になり、適度な大きさの凝集体になると、この凝集体が、セルから吐き出されて帯電ロールを介して像保持体へ戻り、クリーニングブレード等により像保持体から除去される。このため、クリーニング部材に異物がほとんど堆積せず、クリーニング部材によるクリーニング性能の維持継続がなされていると考えられている。この発泡体で形成されるクリーニング部材は、通常ブロック状の発泡体を削ることにより加工する。
【０００６】
特許文献５では、帯電ロールと帯電ロールクリーナとに周速差をつけることが提案されている。
【０００７】
【特許文献１】特開平８−１６６７０号公報
【特許文献２】特開平９−２２２７７６号公報
【特許文献３】特開２００５−２４６７５号公報
【特許文献４】特開平１１−１４３１８３号公報
【特許文献５】特開平９−１２７７６９号公報
【発明の開示】
【発明が解決しようとする課題】
【０００８】
本発明は、帯電部材に付着した付着物を容易に除去することができる帯電装置、その帯電装置を備えるプロセスカートリッジ及び画像形成装置である。
【課題を解決するための手段】
【０００９】
本発明は、像保持体の表面を帯電させるための、導電性芯材と前記導電性芯材の外周に形成された帯電層とを有する円筒状の帯電部材と、前記帯電部材に接触し従動して回転しながら前記帯電部材の表面を清掃するための、芯材と前記芯材の外周に形成された弾性層とを有する円筒状の帯電部材清掃部材と、前記帯電部材及び前記帯電部材清掃部材のうち少なくとも１つをその軸方向に所定の幅で移動させる移動手段と、を有する帯電装置である。
【００１０】
また、前記帯電装置において、前記移動手段は前記帯電部材清掃部材をその軸方向に所定の幅で移動させることが好ましい。
【００１１】
また、前記帯電装置において、前記移動手段は、前記導電性芯材及び前記芯材に形成された凸部と凹部との嵌合によって前記帯電部材及び前記帯電部材清掃部材のうち少なくとも１つを移動させることが好ましい。
【００１２】
また、前記帯電装置において、前記弾性層が、ポリウレタン、ニトリルゴム、エチレン−プロピレン−ジエン３元共重合ゴム、スチレン−ブタジエンゴム及びシリコーンゴムのうち少なくとも１つの発泡体を含んで構成されていることが好ましい。
【００１３】
また、本発明は、像保持体と、前記帯電装置とを備えるプロセスカートリッジである。
【００１４】
さらに、本発明は、像保持体と、前記帯電装置と、前記像保持体の表面に潜像を形成する潜像形成手段と、前記像保持体の表面に形成された潜像をトナーにより現像してトナー像を形成する現像手段と、前記像保持体の表面に形成されたトナー像を被転写体に転写する転写手段と、を備える画像形成装置である。
【発明の効果】
【００１５】
本発明の請求項１によると、本構成を有していない場合に比較して、帯電部材に付着した付着物を容易に除去することができる。
【００１６】
本発明の請求項２によると、本構成を有していない場合に比較して、帯電部材に付着した付着物をより容易に除去することができる。
【００１７】
本発明の請求項３によると、本構成を有していない場合に比較して、簡易な構成で帯電部材に付着した付着物を容易に除去することができる。
【００１８】
本発明の請求項４によると、本構成を有していない場合に比較して、帯電部材に付着した付着物をより容易に除去することができる。
【００１９】
本発明の請求項５によると、本構成を有していない場合に比較して、帯電部材に付着した付着物を容易に除去することができるプロセスカートリッジを提供することが可能である。
【００２０】
本発明の請求項６によると、本構成を有していない場合に比較して、帯電部材に付着した付着物を容易に除去することができ、帯電部材と像保持体との間で生じる帯電不良による画質上の色点を防止し、長期にわたって安定した画像が得られる画像形成装置を提供することができる。
【発明を実施するための最良の形態】
【００２１】
本発明の実施の形態について以下説明する。本実施形態は本発明を実施する一例であって、本発明は本実施形態に限定されるものではない。
【００２２】
＜帯電装置＞
図１は、本発明の一実施形態に係る帯電装置の正面模式図である。帯電装置１は、回転する円筒状の帯電部材である帯電ロール１０と、帯電ロール１０に接触し従動して回転しながら帯電ロール１０の表面を清掃するための帯電部材清掃部材である帯電ロールクリーナ１２と、を備える。帯電ロール１０は、導電性芯材１４と、導電性芯材１４の外周に形成された帯電層１６とを備える。帯電ロールクリーナ１２は、芯材１８と、芯材１８の外周に形成された弾性層２０とを備える。帯電ロール１０の導電性芯材１４と帯電ロールクリーナ１２の芯材１８とは、導電性ベアリング２２により保持されている。また、図示しない高圧電源により、帯電ロール１０に電圧が印加される。
【００２３】
図２に示すように、帯電装置１が画像形成装置５に設置されたときに、感光体ドラム２６の横には、感光体ドラム２６と接触するように帯電ロール１０が配置されている。この帯電ロール１０の導電性芯材１４は回転可能に支持されている。帯電ロール１０の感光体ドラム２６と反対側には、帯電ロール１０の表面に接触するロール状の帯電ロールクリーナ１２が設けられている。この帯電ロールクリーナ１２の芯材１８は回転可能に支持されている。
【００２４】
像保持体である感光体ドラム２６は、図示しないモータによって矢印Ｘ方向に回転駆動され、感光体ドラム２６の回転により帯電ロール１０が矢印Ｙ方向に従動回転する。また、帯電ロール１０の回転によりロール状の帯電ロールクリーナ１２が矢印Ｚ方向に従動回転する。
【００２５】
帯電ロールクリーナ１２が帯電ロール１０に接触しつつ従動回転することにより、帯電ロール１０の表面のトナーや外添剤などの付着物が帯電ロールクリーナ１２側へ移行して帯電ロール１０の表面がクリーニングされる。
【００２６】
本実施形態において、帯電ロール１０及び帯電ロールクリーナ１２のうち少なくとも１つをその軸方向に所定の幅で移動させる。帯電ロール１０及び帯電ロールクリーナ１２のうち少なくとも１つをその軸方向に所定の幅で移動させることにより、帯電ロールクリーナ１２に付着した付着物によって引き起こされる帯電ロール１０と感光体ドラム２６との間で生じる帯電不良による画質上の色点を防止し、長期にわたって安定した画像が得られる。このとき、感光体ドラム２６に対して帯電ロール１０を移動させない方が好ましいことから、図１に示すように帯電ロールクリーナ１２をその軸方向に所定の幅で移動させることが好ましい。
【００２７】
帯電ロールクリーナ１２を帯電ロール１０の軸方向に所定の幅で移動させる移動手段を安価に実現するために、図３に示すように、帯電ロール１０の導電性芯材１４の一端部に帯電ロールクリーナ１２の軸方向移動用の凹部としてガイド溝２８を設け、帯電ロールクリーナ１２の芯材１８にこのガイド溝２８と嵌合し、帯電ロールクリーナ１２を軸方向に移動させるための凸部３０を有する凸形状部材３２を有することが好ましい。帯電ロール１０及び帯電ロールクリーナ１２の回転時にガイド溝２８に沿って凸形状部材３２の凸部３０が移動し、その移動に伴い帯電ロールクリーナ１２が帯電ロール１０の軸方向に所定の幅で移動する構成となっている。この帯電ロール１０のガイド溝２８の幅、軸方向に対する角度等によって、帯電ロールクリーナ１２の軸方向の移動量を決めることができる。なお、帯電ロール１０の導電性芯材１４に凸形状部材３２を有し、帯電ロールクリーナ１２の芯材１８にガイド溝２８を設けてもよい。移動手段の構成はこれらに限られない。
【００２８】
もちろん、帯電ロールクリーナ１２の軸方向位置をアクチュエータ等の駆動手段などを用いて制御してもよい。コスト面と取り付けスペースの確保などの点から、ガイド溝２８及び凸形状部材３２を有する構成が好ましい。これにより、帯電ロールクリーナ１２のより細かい軸方向の移動量の制御が可能となり、より高いクリーニング効果が得られることになる。
【００２９】
帯電ロールクリーナ１２が往復移動する幅としては、除去対象となる付着物の大きさや、帯電ロールクリーナ１２の弾性層２０の孔の大きさ等に応じて決めれば良く特に制限はないが、除去対象となる付着物の大きさや、帯電ロールクリーナ１２の弾性層２０の孔の大きさよりも大きい幅であることが好ましく、除去対象となる付着物の大きさや、帯電ロールクリーナ１２の弾性層２０の孔の大きさの３倍以上であることがより好ましい。例えば、帯電ロールクリーナ１２の弾性層２０の孔の大きさが０．３ｍｍ以上０．５ｍｍ以下程度の場合、往復移動する幅の下限は０．９ｍｍ以上１．５ｍｍ以下程度にすればよく、１ｍｍ以上２ｍｍ以下程度にすればより好ましい。移動幅が、除去対象となる付着物の大きさや、帯電ロールクリーナ１２の弾性層２０の孔の大きさよりも小さい幅であると、付着物を十分に除去できない場合がある。また通常、移動幅の上限は装置のスペース、芯材端部のガイド溝等の形成スペース等によって制限される。
【００３０】
帯電ロールクリーナ１２の往復移動は、帯電ロール１０の軸方向であるが、本明細書において軸方向とは完全な軸方向でなくてもよく、実質的に軸方向であればよい。
【００３１】
帯電ロールクリーナ１２が往復移動する速度としては、帯電ロール外周周速に対して５％以上１５％以下の範囲が好ましい。５％未満であると付着物を充分に除去できない場合があり、１５％を超えると帯電ロールとの摩擦が増大し、帯電ロールの回転を阻害する可能性がある。
【００３２】
帯電ロール１０と帯電ロールクリーナ１２の取り付け方法として、帯電ロール１０と帯電ロールクリーナ１２の所定の軸間距離を固定して取り付ける方法（定変位取り付け）、図４に示すようなバネ等の弾性体３４により帯電ロール１０に対して帯電ロールクリーナ１２を定荷重にて押さえつける方法（定荷重取り付け）等が挙げられる。
【００３３】
次に、帯電ロールクリーナ１２の詳細について説明する。
【００３４】
帯電ロールクリーナ１２の芯材１８の材質としては、快削鋼、ステンレス鋼等が使用されており、摺動性などの用途に応じ材質および表面処理方法は適時選択され、導電性を有さない材質についてはメッキ処理など一般的な処理により加工され導電化処理が行われてもよく、もちろんそのまま使用してもよい。また、弾性層２０を介して帯電ロール１０と適度なニップ圧力で接触するため、ニップ時に撓みのない強度を持った材質またはシャフト長に対して十分剛性をもったシャフト径が選択される。
【００３５】
弾性層２０は、多孔質の３次元構造を有する発泡体を含んで構成される。弾性層２０は、ポリウレタン、ポリエチレン、ポリアミド又はポリプロピレン等の発泡性の樹脂又はニトリルゴム（ＮＢＲ）、エチレン−プロピレン−ジエン３元共重合ゴム（ＥＰＤＭ）、スチレン−ブタジエンゴム（ＳＢＲ）、シリコーンゴム等を材質としたものより選択される。弾性層２０は、帯電ロール１０との従動摺擦により外添剤などの異物を効率的にクリーニングすると同時に、帯電ロール１０の表面に弾性層２０の擦れによるキズをつけないために、また、長期にわたり千切れや破損が生じないようにするために、引き裂き、引っ張りなどに強い、ポリウレタン、ニトリルゴム、エチレン−プロピレン−ジエン３元共重合ゴム、スチレン−ブタジエンゴム及びシリコーンゴムのうち少なくとも１つがより好ましく用いられ、ポリウレタンが特に好ましく用いられる。特にポリウレタンの発泡体を含んで構成される弾性層を有する帯電ロールクリーナを用いた場合に、本実施形態に係る帯電装置による付着物除去効果がより発揮されるため好ましい。
【００３６】
ポリウレタンとしては特に限定するものではなく、ポリエステルポリオール、ポリエーテルポリエステルやアクリルポリオールなどのポリオールと、２，４−トリレンジイソシアネート、２，６−トリレンジイソシアネートや４，４−ジフェニルメタンジイソシアネート、トリジンジイソシアネート、１，６−ヘキサメチレンジイソシアネートなどのイソシアネートの反応を伴っていれば良く、１，４−ブタンジオール、トリメチロールプロパンなど鎖延長剤が混合されていることが好ましい。また、水やアゾジカルボンアミド、アゾビスイソブチロニトリルのようなアゾ化合物などの発泡剤を用いて発泡させるのが一般的である。さらに必要に応じて発泡助剤、整泡剤、触媒などの助剤を加えてもよい。
【００３７】
このように作製した発泡体を前述のシャフトに接着により一体化し、切削や研削などの除去加工によって、最終形状に加工する。
【００３８】
帯電ロール１０について説明する。
【００３９】
この帯電ロール１０は、導電性芯材１４上に帯電層１６として導電性弾性層、表面層等が順次形成されたものである。
【００４０】
帯電ロール１０の径は好ましくはφ８ｍｍ以上φ１５ｍｍ以下、より好ましくはφ９ｍｍ以上φ１４ｍｍ以下で、帯電層１６の肉厚が１．５ｍｍ以上４ｍｍ以下であることが好ましい。直径が１５ｍｍを超えると周面１箇所あたりの外添剤に接触する回数が減り、また放電回数が減るので、汚れや帯電性能に対する長期安定性には優れるものの小型化の観点から不利である。直径が８ｍｍ未満であると画像形成装置を小型化できるので優位であるが、周面１箇所あたりの外添剤に接触する回数が増え、また放電回数が増えるので、長期安定性に対して不利となる。
【００４１】
この帯電ロール１０であるが、所定の帯電性能を有するものであれば以下の構成に限定されるものでないことは言うまでもない。
【００４２】
導電性芯材１４の材質としては、快削鋼、ステンレス鋼等が使用され、摺動性などの用途に応じ材質および表面処理方法は適時選択され、導電性を有さない材質についてはメッキ処理など一般的な処理により加工され導電化処理が行われていてもよい。
【００４３】
帯電ロール１０の帯電層１６を構成する上記導電性弾性層は、例えば、弾性を有するゴム等の弾性材、導電性弾性層の抵抗を調整するカーボンブラックやイオン導電材等の導電材、必要に応じて軟化剤、可塑剤、硬化剤、加硫剤、加硫促進剤、老化防止剤、シリカおよび炭酸カルシウム等の充填剤等、通常ゴムに添加され得る材料を加えてもよい。通常ゴムに添加される材料を添加した混合物を、導電性の導電性芯材１４の周面に被覆することにより形成される。抵抗値の調整を目的とした導電剤として、マトリックス材に配合されるカーボンブラックやイオン導電剤のような、電子及びイオンのうち少なくとも１つを電荷キャリアとして電気伝導する材料を分散したもの等を用いることができる。また、上記弾性材は発泡体であってもかまわない。
【００４４】
上記導電性弾性層を構成する弾性材としては、例えばゴム材中に導電剤を分散させることによって形成される。ゴム材としては、イソプレンゴム、クロロプレンゴム、エピクロルヒドリンゴム、ブチルゴム、ウレタンゴム、シリコーンゴム、フッ素ゴム、スチレン−ブタジエンゴム、ブタジエンゴム、ニトリルゴム、エチレンプロピレンゴム、エピクロルヒドリン−エチレンオキシド共重合ゴム、エピクロルヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム、天然ゴム等、及びこれらのブレンドゴムが挙げられる。中でも、シリコーンゴム、エチレンプロピレンゴム、エピクロルヒドリン−エチレンオキシド共重合ゴム、エピクロルヒドリン−エチレンオキシド−アリルグリシジルエーテル共重合ゴム、アクリロニトリル−ブタジエン共重合ゴムおよびこれらのブレンドゴムが好ましく用いられる。これらのゴム材は発泡したものであっても無発泡のものであってもよい。
【００４５】
導電剤としては、電子導電剤やイオン導電剤が用いられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属または合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの粉末を挙げることができる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；を挙げることができる。
【００４６】
これらの導電剤は、単独で用いてもよく、２種以上を組み合わせて用いてもよい。また、その添加量は特に制限はないが、上記電子導電剤の場合は、ゴム材１００質量部に対して、１質量部以上６０質量部以下の範囲であることが好ましく、一方、上記イオン導電剤の場合は、ゴム材１００質量部に対して、０．１質量部以上５．０質量部以下の範囲であることが好ましい。
【００４７】
帯電層１６を構成する上記表面層は、トナー等の異物による汚染の防止のためなどに形成しているものであり、表面層の材料としては、樹脂、ゴム等の何れを用いてもよく特に限定するものではない。ポリエステル、ポリイミド、共重合ナイロン、シリコーン樹脂、アクリル樹脂、ポリビニルブチラール、エチレンテトラフルオロエチレン共重合体、メラミン樹脂、フッ素ゴム、エポキシ樹脂、ポリカーボネート、ポリビニルアルコール、セルロース、ポリ塩化ビニリデン、ポリ塩化ビニル、ポリエチレン、エチレン酢酸ビニル共重合体等を挙げることができる。
【００４８】
このうち外添剤による汚れ防止の観点から、ポリフッ化ビニリデン、４フッ化エチレン共重合体、ポリエステル、ポリイミド、共重合ナイロンが好ましく用いられる。共重合ナイロンは、６１０ナイロン、１１ナイロン、１２ナイロン、の内のいずれか１種または複数種を重合単位として含むものであって、この共重合体に含まれる他の重合単位としては、６ナイロン、６６ナイロン等が挙げられる。ここで、６１０ナイロン、１１ナイロン、１２ナイロンよりなる重合単位が共重合体中に含まれる割合は、質量比で合わせて１０質量％以上であるのが好ましい。上記重合単位が１０質量％以上の場合は、調液性および表面層塗布時における成膜性に優れるとともに、特に繰り返し使用時における樹脂層の磨耗や樹脂層への異物付着が少なく、ロールの耐久性が優れ、環境による特性の変化も少なくなる。
【００４９】
上記高分子材料は単独で用いてもよく、２種以上を混合して用いてもよい。また、当該高分子材料の数平均分子量は、１，０００以上１００，０００以下の範囲であることが好ましく、１０，０００以上５０，０００以下の範囲であることがより好ましい。
【００５０】
また上記表面層には導電性材料を含有させ、抵抗値を調整することができる。該導電性材料としては、粒径が３μｍ以下であるものが望ましい。
【００５１】
また、抵抗値の調整を目的とした導電剤として、マトリックス材に配合されるカーボンブラックや導電性金属酸化物粒子、あるいはイオン導電剤のような、電子及びイオンのうち少なくとも１つを電荷キャリアとして電気伝導する材料を分散したもの等を用いることができる。
【００５２】
導電剤のカーボンブラックとして、具体的には、デグサ社製の「スペシャルブラック３５０」、同「スペシャルブラック１００」、同「スペシャルブラック２５０」、同「スペシャルブラック５」、同「スペシャルブラック４」、同「スペシャルブラック４Ａ」、同「スペシャルブラック５５０」、同「スペシャルブラック６」、同「カラーブラックＦＷ２００」、同「カラーブラックＦＷ２」、同「カラーブラックＦＷ２Ｖ」、キャボット社製「ＭＯＮＡＲＣＨ１０００」、キャボット社製「ＭＯＮＡＲＣＨ１３００」、キャボット社製「ＭＯＮＡＲＣＨ１４００」、同「ＭＯＧＵＬ−Ｌ」、同「ＲＥＧＡＬ４００Ｒ」等が挙げられる。
【００５３】
上記カーボンブラックはｐＨ４．０以下であることが好ましい。一般的なカーボンブラックに比べ、表面に存在する酸素含有官能基の効果により、樹脂組成物中への分散性がよく、前記ｐＨ４．０以下のカーボンブラックを配合することにより、帯電均一性をよくすることができ、さらに抵抗値の変動を小さくすることができる。
【００５４】
上記抵抗値を調整するための導電性粒子である導電性金属酸化物粒子は、酸化錫、アンチモンがドープされた酸化錫、酸化亜鉛、アナターゼ型酸化チタン、インジウムスズ酸化物（ＩＴＯ）等の導電性を有した粒子で、電子を電荷キャリアとする導電剤であれば何れも用いることができ、特に限定されるものではない。これらは、単独で用いても２種類以上を併用することができる。また、本実施形態の効果を阻害しない限り、何れの粒径であってもよいが、抵抗値調整および強度の点より、好ましくは酸化錫、アンチモンドープがされた酸化錫、アナターゼ型酸化チタンであり、更に、酸化錫、アンチモンドープがされた酸化錫が好ましい。
【００５５】
このような導電性材料によって抵抗制御を行うことにより、表面層の抵抗値は環境条件によって変化せず、安定な特性が得られる。
【００５６】
さらに、上記表面層には、フッ素系あるいはシリコーン系の樹脂等が用いられている。特に、フッ素変性アクリレートポリマを含んで構成されることが好ましい。また、表面層の中に粒子を添加してもよい。これにより、表面層が疎水性となって帯電ロール１０への異物の付着が防止されるように作用する。また、アルミナやシリカのような絶縁性の粒子を添加して、帯電ロール１０の表面に凹凸を付与し、感光体ドラム２６との摺擦時の負担を小さくして帯電ロール１０と感光体ドラム２６相互の耐磨耗性を向上させることも可能である。
【００５７】
本実施形態に係る帯電装置では、切削、研削等によって加工された発泡体を用いた、帯電ロールに従動して回転する帯電ロールクリーナに付着した、切削、研削加工時に発生した発泡体粉等が帯電ロールに移行付着し、その付着物によって引き起こされる帯電ロールと像保持体との間で生じる帯電不良による画質上の色点を防止し、長期にわたって安定した画像が得られる。
【００５８】
帯電ロールクリーナに付着した加工粉（切削粉、研削粉）等が帯電ロールに移行、付着しても、容易に帯電ロール表面からこの加工粉等を除去することができるため、この加工粉等の付着物によって引き起こされる帯電不良による画像上の色点の発生を防止することができる。
【００５９】
＜プロセスカートリッジ＞
本実施形態に係るプロセスカートリッジは、像保持体と像保持体の表面を帯電させる前記帯電装置とを備える。本実施形態のプロセスカートリッジは、必要に応じて、帯電した像保持体の表面に潜像を形成する潜像形成手段と、像保持体の表面に形成された潜像をトナーにより現像してトナー像を形成する現像手段と、像保持体の表面に形成されたトナー像を被転写体に転写する転写手段と、転写後の像保持体表面を清掃する像保持体清掃手段とからなる群より選択される少なくとも一種を備えていてもよい。
【００６０】
本発明の実施形態に係るプロセスカートリッジの一例の概略構成を図５に示し、その構成について説明する。プロセスカートリッジ３は、静電潜像が形成される像保持体としての感光体ドラム（電子写真感光体）２６と、感光体ドラム２６の表面を接触帯電する円筒状の帯電部材である帯電ロール１０と、帯電ロール１０に接触し連れ回りながら帯電ロール１０の表面を清掃するため帯電部材清掃部材である帯電ロールクリーナ１２と、感光体ドラム２６の表面に形成された静電潜像にトナーを付着させてトナー像を形成する現像手段としての現像ロール５２と、感光体ドラム２６の表面に接触して、転写後に感光体ドラム２６に残ったトナー等を清掃する像保持体清掃手段としてのクリーニングブレード５６とが一体に支持されており、画像形成装置に着脱自在である。画像形成装置に装着されたときには感光体ドラム２６の周囲に、帯電ロール１０、レーザ光あるいは原稿の反射光等により感光体ドラム２６の表面に静電潜像を形成する潜像形成手段としての露光装置５８、現像ロール５２、感光体ドラム２６表面のトナー像を被転写体である記録紙６２に転写処理する転写手段としての転写ロール５４、クリーニングブレード５６がこの順序で配置されるようになっている。なお、図５では、他の電子写真プロセスにおいて通常必要な機能ユニットは、その記載を省略してある。
【００６１】
本実施形態に係るプロセスカートリッジ３の動作について説明する。
【００６２】
まず、感光体ドラム２６の表面に接触された帯電ロール１０に対して電圧を高圧電源（図示せず）から給電することによって、感光体ドラム２６の表面を一様に高電位に帯電する。このとき感光体ドラム２６及び帯電ロール１０は図５の矢印方向にそれぞれ回転する。帯電後、感光体ドラム２６表面に露光装置５８により画像情報に応じた画像光（露光）６０が照射されると、照射された部分は電位が低下する。画像光６０は画像の黒／白等に応じた光量の分布であるため、画像光６０の照射によって感光体ドラム２６表面に記録画像に対応する電位分布、すなわち静電潜像が形成される。静電潜像が形成された部分が、現像ロール５２を通過すると、その電位の高低に応じてトナーが付着し、静電潜像を可視化したトナー像が形成される。トナー像が形成された部分に、所定のタイミングでレジストロール（図示せず）により記録紙６２が搬送され、感光体ドラム２６表面のトナー像と重なる。このトナー像が、転写ロール５４によって記録紙６２に転写された後、記録紙６２は、感光体ドラム２６から分離される。分離された記録紙６２は搬送経路を通って搬送され、定着手段としての定着ユニット（図示せず）によって、加熱加圧定着されたあと、機外へ排出される。
【００６３】
プロセスカートリッジ３に設けられた帯電ロール１０には帯電ロールクリーナ１２が設置され、高圧電源から導電性ベアリング２２に電圧が印加され、帯電ロールクリーナ１２が帯電ロール１０と電気的に同極性を有することで、汚染物質を帯電ロールクリーナ１２および帯電ロール１０表面に蓄積させることなく移行でき、クリーニングブレード５６で回収させることができるため、帯電部材に付着したトナー等の異物を長期にわたり、安定的に除去することができる。また、帯電ロール１０及び帯電ロールクリーナ１２のうち少なくとも１つ、好ましくは帯電ロールクリーナ１２をその軸方向に所定の幅で移動させるため、長期にわたり帯電ロール１０に汚れが蓄積することなく均一帯電性能において優れたものとなり安定した帯電性能が維持できる。
【００６４】
感光体ドラム２６は、少なくとも静電潜像（静電荷像）が形成される機能を有する。電子写真感光体は、円筒状の導電性の基体外周面に必要に応じて下引き層と、電荷発生物質を含む電荷発生層と、電荷輸送物質を含む電荷輸送層とがこの順序で形成されたものである。電荷発生層と電荷輸送層の積層順序は逆であってもよい。これらは、電荷発生物質と電荷輸送物質とを別個の層（電荷発生層、電荷輸送層）に含有させて積層した積層型感光体であるが、電荷発生物質と電荷輸送物質との双方を同一の層に含む単層型感光体であってもよく、好ましくは積層型感光体である。また、下引き層と感光層との間に中間層を有していてもよい。また、有機感光体に限らずアモルファスシリコン感光膜等他の種類の感光層を使用してもよい。
【００６５】
露光装置５８としては、特に制限はなく、例えば、感光体ドラム２６表面に、半導体レーザ光、ＬＥＤ光、液晶シャッタ光等の光源を、所望の像様に露光できるレーザ光学系、ＬＥＤアレイなどの光学系機器等が挙げられる。
【００６６】
現像手段は、感光体ドラム２６上に形成された静電潜像を静電荷像現像用トナーを含む一成分現像剤あるいは二成分現像剤により現像してトナー像を形成する機能を有する。そのような現像装置としては、上述の機能を有している限り特に制限はなく、目的に応じて適宜選択することができ、トナー層が感光体ドラム２６に接触する方式のものでも、接触しない方式のものでもよい。例えば、図５のように静電荷像現像用トナーを現像ロール５２を用いて感光体ドラム２６に付着させる機能を有する現像器、あるいはブラシ等を用いてトナーを感光体ドラム２６に付着させる機能を有する現像器等、公知の現像器等が挙げられる。現像剤担時体には、通常直流電圧が使用されるが、更に交流電圧を重畳させて使用してもよい。
【００６７】
転写手段としては、紙等に直接転写する方式のものでも、中間転写体を介して転写する方式のものでもよい。例えば、図５に示すような記録紙６２の表面に記録紙６２を介して直接接触して転写する導電性又は半導電性のロール等を用いた転写ロール５４及び転写ロール押圧装置（図示せず）を用いることができる。また、記録紙６２の裏側からトナーとは逆極性の電荷を記録紙６２に与え、静電気力によりトナー像を記録紙６２に転写するものを用いてもよい。転写ロール５４には、感光体ドラム２６に付与する転写電流として、直流電流を印加してもよいし、交流電流を重畳させて印加してもよい。転写ロール５４は、帯電すべき画像領域幅、転写帯電器の形状、開口幅、プロセススピード（周速）等により、任意に設定することができる。また、低コスト化のため、転写ロール５４として単層の発泡ロール等が好適に用いられる。
【００６８】
定着手段としての定着ユニットとしては、記録紙６２に転写されたトナー像を加熱、加圧あるいは加熱加圧により定着するものであれば特に制限はない。
【００６９】
トナー像を転写する被転写体である記録紙６２としては、例えば、電子写真方式の複写機、プリンタ等に使用される普通紙、ＯＨＰシート等が挙げられる。定着後における画像表面の平滑性をさらに向上させるには、転写材の表面もできるだけ平滑であることが好ましく、例えば、普通紙の表面を樹脂等でコーティングしたコート紙、印刷用のアート紙等を好適に使用することができる。
【００７０】
＜画像形成装置＞
本実施形態に係る画像形成装置は、像保持体と、像保持体の表面を帯電させる前記帯電装置と、像保持体の表面に潜像を形成する潜像形成手段と、像保持体の表面に形成された潜像をトナーにより現像してトナー像を形成する現像手段と、像保持体の表面に形成されたトナー像を被転写体に転写する転写手段と、転写後の像保持体の表面を清掃する像保持体清掃手段と、を備える。また、本実施形態に係る画像形成装置は、上記プロセスカートリッジを使用するものであってもよい。
【００７１】
図６には、本実施形態に係る画像形成装置の一例として、タンデム方式のフルカラーの画像形成装置５が示されている。この画像形成装置５の内部には、感光体ドラム２６や現像器等を有する画像形成ユニットが、イエロー（６４Ｙ）、マゼンタ（６４Ｍ）、シアン（６４Ｃ）、及び黒（６４Ｋ）の各色毎にそろえられている。感光体ドラム２６としては、例えば、表面に有機感光体等を含む感光体層が被覆された導電性円筒体が用いられ、図示しないモータにより、矢印Ｘ方向に例えば約１５０ｍｍ／ｓｅｃのプロセススピードで回転駆動される。
【００７２】
感光体ドラム２６の表面は、感光体ドラム２６に接触して配置された帯電ロール１０によって所定の電位に帯電された後、露光装置５８から出射されるレーザービームによって画像露光が施され、画像情報に応じた静電潜像が形成される。
【００７３】
この感光体ドラム２６上に形成された静電潜像は、イエロー（Ｙ）、マゼンタ（Ｍ）、シアン（Ｃ）、黒（Ｋ）の各色の現像器６６Ｙ、６６Ｍ、６６Ｃ、６６Ｋによって現像され、所定の色のトナー像となる。
【００７４】
例えば、フルカラーの画像を形成する場合、各色の感光体ドラム２６の表面には、帯電、露光、現像の各工程が、イエロー（Ｙ）、マゼンタ（Ｍ）、シアン（Ｃ）、黒（Ｋ）の各色に対応して行われ、各色の感光体ドラム２６の表面には、イエロー（Ｙ）、マゼンタ（Ｍ）、シアン（Ｃ）、黒（Ｋ）の各色に対応したトナー像が形成される。
【００７５】
感光体ドラム２６上に順次形成されるイエロー（Ｙ）、マゼンタ（Ｍ）、シアン（Ｃ）、黒（Ｋ）の各色のトナー像は、中間転写ベルト６８に転写された後、搬送される記録紙６２上に転写ロール５４により転写される。
【００７６】
さらに、トナー像が転写された記録紙６２は、定着装置７０へと搬送され、この定着装置７０によって加熱及び加圧されてトナー像が記録紙６２上に定着される。その後、片面プリントの場合には、トナー像が定着された記録紙６２は、排出ロール７２によって画像形成装置５０の上部に設けられた排出トレイ７４上にそのまま排出される。
【００７７】
―方、両面プリントの場合には、定着装置７０により第一面（表面）にトナー像が定着された記録紙６２を、排出ロール７２によって排出トレイ７４上にそのまま排出せずに、排出ロール７２によって記録紙６２の後端部を狭持した状態で、排出ロール７２を逆転させるとともに、記録紙６２の搬送径路を両面用の用紙搬送路７６に切り替え、この両面用の用紙搬送路７６に配設された搬送ロール７８によって、記録紙６２の表裏を反転した状態で、再度、中間転写ベルト６８の二次転写位置へ搬送して、記録紙６２の第二面（裏面）にトナー像を転写する。そして、記録紙６２の第二面（裏面）のトナー像を定着装置７０によって定着させ、記録紙６２を排出トレイ７４上に排出する。
【００７８】
なお、トナー像の転写工程が終了した後の感光体ドラム２６の表面は、感光体ドラム２６が１回転する毎に、感光体ドラム２６の斜め上方に配置されたクリーニングブレード５６によって、残留トナーや紙粉などが除去され、次の画像形成工程に備えるようになっている。
【００７９】
画像形成装置５に設けられた帯電ロール１０には帯電ロールクリーナ１２が設置され、高圧電源から導電性ベアリングに電圧が印加され、帯電ロールクリーナ１２が帯電ロール１０と電気的に同極性を有することで、汚染物質を帯電ロールクリーナ１２および帯電ロール１０表面に蓄積させることなく移行でき、クリーニングブレード５６で回収させることができるため、帯電部材に付着したトナー等の異物を長期にわたり、安定的に除去することができる。また、帯電ロール１０及び帯電ロールクリーナ１２のうち少なくとも１つ、好ましくは帯電ロールクリーナ１２をその軸方向に所定の幅で移動させるため、長期にわたり帯電ロール１０に汚れが蓄積することなく均一帯電性能において優れたものとなり安定した帯電性能が維持できる。
【００８０】
本実施形態に係る帯電装置を用いた画像形成装置の帯電装置以外の構成については、これらに限らず従来から電子写真方式の画像形成装置の各構成として公知の構成が適用できる。すなわち、上記帯電装置以外の構成、例えば、潜像形成手段、現像手段、転写手段、像保持体清掃手段、除電手段、給紙手段、搬送手段、画像制御手段等について、必要に応じて従来公知のものが適宜採用される。これらの構成については、本実施形態において特に限定されるものではない。
【００８１】
また、本実施形態に係る画像形成装置としては、上記構成に限らず、帯電装置以外の構成については例えば感光体を１つのみ有する画像形成装置、像保持体上に保持されたトナー像を中間転写体に順次一次転写を繰り返すカラー画像形成装置など従来公知のものが適宜採用される。これらの構成については、本実施形態において特に限定されるものではない。
【００８２】
＜トナー及び現像剤＞
本実施形態において用いられる現像剤としては、トナーとキャリアとを含む二成分現像剤であっても、磁性トナーなどのようにトナー単独で用いられる一成分現像剤であってもよい。
【００８３】
本実施形態において用いられる現像剤には、外添剤として球形のシリカを含むことが好ましい。この理由として、シリカは屈折率が１．５前後であり、粒径を大きくしても光散乱による透明度の低下、特にＯＨＰ表面への画像作製時のＰＥ値（光透過性の指標）等に影響を及ぼさないことが挙げられる。
【００８４】
一方、一般的なフュームドシリカは比重２．２であり、粒径的にも最大５０ｎｍが製造上から限界となる場合がある。また凝集体として粒径を上げることはできるが、均一分散が困難となる場合があり、安定してシール効果を発揮できない場合がある。
【００８５】
クリーニング性向上のために含有される外添剤の材料として好適なシリカ、特に比重１．３以上１．９以下で球形単分散のシリカは、湿式法であるゾルゲル法により得ることができる。該ゾルゲル法は湿式法で、かつ焼成することなしに製造する方法であるため、蒸気相酸化法等の他の方法に比べ、比重を低く制御することができる。また、疎水化処理工程での疎水化処理剤種、或いは処理量を制御することにより、更に比重を調整することが可能となる。シリカの粒径は、ゾルゲル法の加水分解、縮重合工程のアルコキシシラン、アンモニア、アルコール、水の質量比、反応温度、撹拌速度、供給速度により自由に制御できる。単分散で球形形状のシリカとすることもゾルゲル法にて可能となる。
【００８６】
具体的なシリカの製造方法は以下の通りである。
【００８７】
まず、水およびアルコールの混合溶液に、アンモニア水を触媒とし、温度をかけながらテトラメトキシシラン等のシラン化合物を滴下し撹拌を行う。次に、生成したシリカゾル懸濁液の遠心分離を行い、湿潤シリカゲルとアルコール、アンモニア水とに分離する。湿潤シリカゲルに溶剤を加え再度シリカゾルの状態にし、疎水化処理剤を加え、シリカ表面の疎水化を行う。疎水化処理としては、一般的なシラン化合物等を用いることができる。次にこの疎水化処理シリカゾルから溶媒を除去、乾燥、シーブすることにより、目的のシリカを得ることができる。またこのように得られた再度上述のゾルゲル法による処理を行っても構わない。
【００８８】
トナーは特に限定しないが、結着樹脂と着色剤を主成分とし、必要に応じて離型剤等を含有する公知のものである。トナーとして、重合法により作製される重合トナーを用いることが好ましい。トナー形状が不定形であることにより、流動性助剤の添加によっても流動性が十分でないことがあり、使用中の機械的せん断力によるトナー表面の粒子のトナー凹部への移動により、経時的に流動性が低下したり、流動性助剤のトナー内部への埋没が起こることで、現像性、転写性、クリーニング性等が悪化する。また、クリーニングにより回収されたトナーを再び現像機に戻して使用すると更に画質の低下を生じ易い。これらを防ぐためにさらに流動性助剤を増加すると感光体上への汚染、フィルミング、傷などを発生させてしまう。
【００８９】
このため、意図的にトナー形状及び表面構造の制御を可能とする手段として、乳化重合凝集法によるトナーの製造方法が提案されている。これらは一般に、乳化重合等の重合法により樹脂粒子の分散液を作製し、他方、溶媒に着色剤を分散させた着色剤粒子分散液を作製し、これらを混合した後、加熱、ｐＨ制御、凝集剤添加などにより上記の樹脂粒子と着色剤とを所望の粒子径になるまで凝集させ、その後凝集粒子を所望の粒子径で安定させ、次いで、樹脂粒子のガラス転移点以上の温度に過熱して融合させてトナーを作製するものである。
【００９０】
乳化重合凝集法で得たトナー粒子は、その粒度分布特性において従来の懸濁重合法等に代表される他の重合法で得たトナー粒子と比較して極めて優れた特性（特に粒度分布が狭く、分級操作を必要としない）を示し、これをトナーとして用いれば高品質の画質を長期にわたり得ることが可能である。また、乳化重合凝集法によるトナーの作製方法は、凝集粒子を樹脂粒子のガラス転移点（Ｔｇ）以上に加熱して融合させることから、その加熱の仕方やｐＨの制御等により、不定形の形状から、球形の粒子状態のトナーまで様々な形状のトナーを作製することができるため、使用される電子写真システムにおいて、いわゆるポテト形状から球形までの範囲で形状の選択が可能である。
【実施例】
【００９１】
以下、実施例および比較例を挙げ、本発明をより具体的に詳細に説明するが、本発明は、以下の実施例に限定されるものではない。
【００９２】
（実施例１）
帯電ロールと帯電ロールクリーナを以下のように作製した。
［帯電ロール］
エピクロルヒドリンゴム１００質量部にイオン導電剤ＰＥＬ−１００（日本カーリット社製）３質量部を添加して十分混練した後、これを押し出し成形後、φ６ｍｍのＳＵＭ−Ｎｉシャフト（硫黄快削鋼にニッケルメッキを施したもの）を挿入し、プレス成形機にて成形、加硫を行った後、研磨によって所望の外径に加工を行い、端部外径φ８．９５ｍｍ、中央部外径φ９．００ｍｍとなるように加工した。その後、この帯電ロール表面に浸漬コーティング方法によってフッ素系樹脂を、膜厚５μｍでコーティングを実施した。
【００９３】
なお図７に示すような形状で、このφ６ｍｍのＳＵＭ−Ｎｉシャフト端部（シャフト端から溝のシャフト端部側の距離が１ｍｍから３ｍｍの部分）に深さ１ｍｍ、幅１ｍｍの帯電ロール軸方向移動時にガイドとなるガイド溝を作製した。このガイド溝により、帯電ロールクリーナは帯電ロール軸方向に２ｍｍの幅（帯電ロールクリーナの弾性層の孔の４倍程度）で往復移動することになる。なお、本実施例では、往復移動において帯電ロール１回転で同じ位置に戻るようにしたが、１回転で複数回同じ位置に戻るように溝を形成してもよい。
【００９４】
［帯電ロールクリーナ］
３次元網目構造を有するウレタン材料（ＩＮＯＡＣ社製ＥＰ７０）を裁断し、金属シャフト（φ５ｍｍの硫黄快削鋼にニッケルメッキを施したもの）（ＳＵＭ−Ｎｉ）を挿入し、研削盤を用いてφ８．０ｍｍとなるように加工を実施した。またこのシャフト端部（シャフト端から４ｍｍから６ｍｍの部分）に幅１ｍｍ、帯電ロールに作製した溝部に０．８ｍｍ嵌るよう作製した、図３に示すような樹脂キャップを圧入により嵌めた。
【００９５】
なお帯電ロールと帯電ロールクリーナとの取り付け方法であるが、実施例１では帯電ロールクリーナが０．５ｍｍ、帯電ロールに食い込むようにそれぞれの軸間距離を固定（定変位取り付け）して取り付けた。
【００９６】
上記のようにして作製した帯電ロール及び帯電ロールクリーナを、画像形成装置（富士ゼロックス製、Ｄｏｃｕｐｒｉｎｔ  Ｃ２１００）用のプロセスカートリッジに組み込み、画像形成装置（富士ゼロックス製、Ｄｏｃｕｐｒｉｎｔ  Ｃ２１００）に取り付け、平均印字の条件で連続印字テストを実施した結果を表１に示す。帯電ロールクリーナは３１．６ｍｍ／ｓｅｃの速度で往復移動させた。この結果は８０００枚走行した際の研削粉による累計の色点個数を目視により計測したものを示したものである。
【００９７】
（実施例２）
帯電ロールのシャフト端部（シャフト端から溝のシャフト端部側の距離が４ｍｍから５ｍｍの部分）に深さ１ｍｍ、幅１ｍｍのガイド溝を作製した以外は、実施例１と同様にして帯電装置を作製した。このガイド溝により、帯電ロールクリーナは帯電ロール軸方向に１ｍｍの幅（帯電ロールクリーナの弾性層の孔の２倍程度）で往復移動することになる。実施例１と同様にして評価した結果を表１に示す。
【００９８】
（実施例３）
帯電ロールのシャフト端部（シャフト端から溝のシャフト端部側の距離が４ｍｍから７ｍｍの部分）に深さ１ｍｍ、幅１ｍｍのガイド溝を作製した以外は、実施例１と同様にして帯電装置を作製した。このガイド溝により、帯電ロールクリーナは帯電ロール軸方向に３ｍｍの幅（帯電ロールクリーナの弾性層の孔の６〜７倍程度）で往復移動することになる。実施例１と同様にして評価した結果を表１に示す。
【００９９】
（比較例１）
従来の帯電ロールと帯電ロール軸受け部材を用い、帯電ロールクリーナを往復移動させずに同様のテストを実施した際のテスト結果を表１に示す。
【０１００】
【表１】
2009145487.tif 000003
【０１０１】
表１からわかるように、実施例１〜３の帯電ロールクリーナが軸方向に移動する構成のもののほうが、画質上の色点欠陥（クリーニングロールの研削粉の帯電ロールへの付着等）が防止できていることが確認できた。
【０１０２】
このように、帯電ロールに対して帯電ロールクリーナが従動しつつ、かつ軸方向に往復する機構を設けることで、帯電ロールに付着した帯電ロールクリーナの加工時等に発生した付着物（研削粉等）を容易に除去することができ、付着物によって引き起こされる帯電ロールと像保持体との間で生じる帯電不良による画質上の色点を防止し、長期にわたって安定した画質を維持することが可能となった。
【図面の簡単な説明】
【０１０３】
【図１】本発明の実施形態に係る帯電装置の一例の正面模式図である。
【図２】本発明の実施形態に係る帯電装置を画像形成装置に装着したときの帯電ロールと像保持体周囲の構成の一例を示す図である。
【図３】本発明の実施形態に係る帯電装置における移動手段の構成の一例を示す図である。
【図４】本発明の実施形態に係る帯電装置における帯電ロール及び帯電ロールクリーナの取り付け方法の一例を示す図である。
【図５】本発明の実施形態に係るプロセスカートリッジの一例を示す概略構成図である。
【図６】本発明の実施形態に係る画像形成装置の一例を示す概略構成図である。
【図７】本発明の実施例における帯電ロールのシャフト端部とガイド溝の位置関係を示す概略図である。
【符号の説明】
【０１０４】
１  帯電装置、３  プロセスカートリッジ、５  画像形成装置、１０  帯電ロール、１２  帯電ロールクリーナ、１４  導電性芯材、１６  帯電層、１８  芯材、２０  弾性層、２２  導電性ベアリング、２６  感光体ドラム、２８  ガイド溝、３０  凸部、３２  凸形状部材、３４  弾性体、５２  現像ロール、５４  転写ロール、５６  クリーニングブレード、５８  露光装置、６０  画像光、６２  記録紙、６４Ｙ，６４Ｍ，６４Ｃ，６４Ｋ  画像形成ユニット、６６Ｙ，６６Ｍ，６６Ｃ，６６Ｋ  現像器、６８  中間転写ベルト、７０  定着装置、７２  排出ロール、７４  排出トレイ、７６  用紙搬送路、７８  搬送ロール。
【図１】
2009145487.tif 000004
【図２】
2009145487.tif 000005
【図３】
2009145487.tif 000006
【図４】
2009145487.tif 000007
【図５】
2009145487.tif 000008
【図６】
2009145487.tif 000009
【図７】
2009145487.tif 000010